(57)【要約】【課題】開閉可能なルーフ装置とアイドルストップが可能なエンジンとを備えた車両において、ドライバの意図を反映してルーフ装置やエンジンの制御を行うことが可能な車両の制御装置を提供する。【解決手段】車両の制御装置は、車室内に設けられルーフ装置(4)の開閉操作を受け付けるルーフ開閉ボタン(12)と、エンジン(2)、ルーフアクチュエータ(10)及びエアコン(34)を制御するコントロールユニット(25)とを備え、コントロールユニットは、ルーフ装置が開状態且つエンジンのアイドルストップ中において、ルーフ装置を開状態から閉状態にするための閉操作をルーフ開閉ボタンが受け付けたとき、アイドルストップ中のエンジンを再始動するようにエンジンを制御し、且つ、開状態であるルーフ装置を閉状態とするようにルーフアクチュエータを制御する。【選択図】図３
2018062927.tif 000002
【特許請求の範囲】
【請求項１】
車室上部を覆い且つ開閉可能なルーフ装置と、前記ルーフ装置の開閉駆動を行う駆動手段と、アイドルストップが可能なエンジンと、エアコン装置と、を備えた車両の制御装置であって、
前記車室内に設けられ前記ルーフ装置の開閉操作を受け付ける開閉操作手段と、
前記エンジン、前記駆動手段及び前記エアコン装置を制御する制御手段と、を備え、
前記制御手段は、
前記ルーフ装置が開状態且つ前記エンジンのアイドルストップ中において、前記ルーフ装置を開状態から閉状態にするための閉操作を前記開閉操作手段が受け付けたとき、前記アイドルストップ中のエンジンを再始動するように前記エンジンを制御し、且つ、前記開状態であるルーフ装置を閉状態とするように前記駆動手段を制御する、
ことを特徴とする車両の制御装置。
【請求項２】
前記制御手段は、前記ルーフ装置が開状態且つ前記エンジンのアイドルストップ中且つ前記車両の停車中において、前記閉操作を前記開閉操作手段が受け付けたとき、前記アイドルストップ中のエンジンを再始動するように前記エンジンを制御し、且つ、前記開状態であるルーフ装置を閉状態とするように前記駆動手段を制御する、請求項１に記載の車両の制御装置。
【請求項３】
前記制御手段は、前記エンジンの再始動後、前記ルーフ装置の駆動を開始するように前記駆動手段を制御する、請求項１又は２に記載の車両の制御装置。
【請求項４】
車室上部を覆い且つ、開閉可能なルーフ装置と、前記ルーフ装置の開閉駆動を行う駆動手段と、アイドルストップが可能なエンジンと、エアコン装置と、を備えた車両の制御装置であって、
前記車室内に設けられ前記ルーフ装置の開閉操作を受け付ける開閉操作手段と、
前記エンジン、前記駆動手段及び前記エアコン装置を制御する制御手段と、を備え、
前記制御手段は、
前記ルーフ装置が開状態且つ前記エンジンの運転中において、前記ルーフ装置を開状態から閉状態にするための閉操作を前記開閉操作手段が受け付けたとき、前記開状態であるルーフ装置を閉状態とするように前記駆動手段を制御し、且つ、前記開閉操作手段が前記閉操作を受け付けたときから前記駆動手段が前記ルーフ装置を閉状態へ駆動している間、前記エンジンのアイドルストップを抑制する、
ことを特徴とする車両の制御装置。
【請求項５】
前記制御手段は、
前記車両の速度が第１速度以下であるとき、前記駆動手段による前記ルーフ装置の開閉駆動を許可し、前記第１速度よりも低い第２速度以下であるとき、前記エンジンのアイドルストップを許可する、請求項４に記載の車両の制御装置。
【請求項６】
前記駆動手段が前記ルーフ装置を開状態から閉状態とするまでに要する駆動時間は、運転中の前記エンジンがアイドルストップ状態へ移行するまでに要する時間よりも長い、請求項４又は５に記載の車両の制御装置。
【請求項７】
前記制御手段は、外気温に関連する外気温関連値が第１閾値以上である場合において、前記ルーフ装置を開状態から閉状態にするための閉操作を前記開閉操作手段が受け付けたとき、前記駆動手段及び前記エンジンの前記制御を行う、請求項１乃至６の何れか１項に記載の車両の制御装置。
【請求項８】
前記制御手段は、外気温に関連する外気温関連値が第２閾値以下である場合において、前記ルーフ装置を開状態から閉状態にするための閉操作を前記開閉操作手段が受け付けたとき、前記駆動手段及び前記エンジンの前記制御を行う、請求項１乃至７の何れか１項に記載の車両の制御装置。
【請求項９】
前記制御手段は、前記エアコン装置の停止中に前記ルーフ装置を開状態から閉状態にするための閉操作を前記開閉操作手段が受け付けたとき、前記駆動手段及び前記エンジンの前記制御を行う、請求項１乃至８の何れか１項に記載の車両の制御装置。
【発明の詳細な説明】
【技術分野】
【０００１】
本発明は、車両の制御装置に係り、特に、車室上部を覆い且つ開閉可能なルーフ装置と、ルーフ装置の開閉駆動を行う駆動手段と、アイドルストップが可能なエンジンとを備えた車両の制御装置に関する。
【背景技術】
【０００２】
従来、車室上部を覆い且つ開閉可能なルーフ装置を備えた車両が知られている（例えば、特許文献１参照）。特許文献１に記載の車両には、ルーフ装置の開閉機構を駆動するための電気モーターが設けられており、乗員の開閉操作に応じて電気モーターが作動することにより、ルーフ装置の開閉が行われる。
【０００３】
また、近年、車両の燃費向上のために、所定のアイドルストップ条件が成立すると車両のエンジンを自動停止させるアイドルストップ技術が用いられており、上記のような開閉可能なルーフ装置を備えた車両についてもアイドルストップが可能なエンジンを搭載することが検討されている。
【先行技術文献】
【特許文献】
【０００４】
【特許文献１】特開２０１６−１５０５８７号公報
【発明の概要】
【発明が解決しようとする課題】
【０００５】
ところで、特許文献１に記載されたような開閉可能なルーフ装置を備えた車両の使用態様としては、例えば、真夏の炎天下においてルーフ装置を開状態として走行した後、ルーフ装置を閉状態としてエアコンを作動させて快適なドライビングを楽しむことが想定される。
【０００６】
しかしながら、ルーフ装置の開状態から閉状態への駆動中にエンジンのアイドルストップが維持されていると、ルーフ装置の駆動終了後にドライバがエアコンを作動させようとしたとき、まずエンジンを再始動しなければエアコンが作動しない場合があり、エアコンによる車室内温度の調整を意図しているドライバの期待に十分応えられない可能性がある。
【０００７】
本発明は、このような課題を解決するためになされたものであり、開閉可能なルーフ装置とアイドルストップが可能なエンジンとを備えた車両において、ドライバの意図を反映してルーフ装置やエンジンの制御を行うことが可能な車両の制御装置を提供することを目的としている。
【課題を解決するための手段】
【０００８】
上記の目的を達成するために、本発明の第１発明による車両の制御装置は、車室上部を覆い且つ開閉可能なルーフ装置と、ルーフ装置の開閉駆動を行う駆動手段と、アイドルストップが可能なエンジンと、エアコン装置とを備えた車両の制御装置であって、車室内に設けられルーフ装置の開閉操作を受け付ける開閉操作手段と、エンジン、駆動手段及びエアコン装置を制御する制御手段とを備え、制御手段は、ルーフ装置が開状態且つエンジンのアイドルストップ中において、ルーフ装置を開状態から閉状態にするための閉操作を開閉操作手段が受け付けたとき、アイドルストップ中のエンジンを再始動するようにエンジンを制御し、且つ、開状態であるルーフ装置を閉状態とするように駆動手段を制御することを特徴とする。
このように構成された本発明においては、制御手段は、ルーフ装置が開状態且つエンジンのアイドルストップ中において、ルーフ装置を開状態から閉状態にするための閉操作を開閉操作手段が受け付けたとき、アイドルストップ中のエンジンを再始動するようにエンジンを制御し、且つ、開状態であるルーフ装置を閉状態とするように駆動手段を制御するので、エンジンがアイドルストップ状態となっているときに、ドライバがルーフ装置を閉状態としてエアコン装置を作動させて快適なドライビングを楽しもうとルーフ装置の閉操作を行った場合、その閉操作に応じてエンジンの再始動を行うことができ、これにより、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【０００９】
また、本発明において好ましくは、制御手段は、ルーフ装置が開状態且つエンジンのアイドルストップ中且つ車両の停車中において、開操作を開閉操作手段が受け付けたとき、アイドルストップ中のエンジンを再始動するようにエンジンを制御し、且つ、開状態であるルーフ装置を閉状態とするように駆動手段を制御する。
このように構成された本発明においては、特に、ドライバがエンジンのアイドルストップ中且つ車両の停車中にルーフ装置の閉操作を行った場合、その閉操作に応じてエンジンの再始動を行うことができ、これにより、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【００１０】
また、本発明において好ましくは、制御手段は、エンジンの再始動後、ルーフ装置の駆動を開始するように駆動手段を制御する。
このように構成された本発明においては、エンジンがアイドルストップ状態となっているときに、ドライバがルーフ装置を閉状態としてエアコン装置を作動させて快適なドライビングを楽しもうとルーフ装置の閉操作を行った場合、その閉操作に応じてまずエンジンの再始動を行い、続いてルーフ装置を駆動するので、エアコン装置による車室内温度の調整を意図しているドライバの期待に沿った車両の反応を演出することができる。
【００１１】
また、本発明の第２発明による車両の制御装置は、車室上部を覆い且つ、開閉可能なルーフ装置と、ルーフ装置の開閉駆動を行う駆動手段と、アイドルストップが可能なエンジンと、エアコン装置とを備えた車両の制御装置であって、車室内に設けられルーフ装置の開閉操作を受け付ける開閉操作手段と、エンジン、駆動手段及びエアコン装置を制御する制御手段とを備え、制御手段は、ルーフ装置が開状態且つエンジンの運転中において、ルーフ装置を開状態から閉状態にするための閉操作を開閉操作手段が受け付けたとき、開状態であるルーフ装置を閉状態とするように駆動手段を制御し、且つ、開閉操作手段が閉操作を受け付けたときから駆動手段がルーフ装置を閉状態へ駆動している間、エンジンのアイドルストップを抑制することを特徴とする。
このように構成された本発明においては、制御手段は、ルーフ装置が開状態且つエンジンの運転中において、ルーフ装置を開状態から閉状態にするための閉操作を開閉操作手段が受け付けたとき、開状態であるルーフ装置を閉状態とするように駆動手段を制御し、且つ、開閉操作手段が閉操作を受け付けたときから駆動手段がルーフ装置を閉状態へ駆動している間、エンジンのアイドルストップを抑制するので、エンジンの運転中にドライバがルーフ装置を閉状態としてエアコン装置を作動させて快適なドライビングを楽しもうとルーフ装置の閉操作を行った場合、アイドルストップを抑制してエンジンの運転状態を維持することができ、これにより、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【００１２】
また、本発明において好ましくは、制御手段は、車両の速度が第１速度以下であるとき、駆動手段によるルーフ装置の開閉駆動を許可し、第１速度よりも低い第２速度以下であるとき、エンジンのアイドルストップを許可する。
このように構成された本発明においては、車両の速度が第１速度以下となったときにルーフ装置が駆動を開始し、ルーフ装置の駆動中に車両の速度が第２速度以下となったときにエンジンのアイドルストップが許可され得るが、制御手段は開閉操作手段が閉操作を受け付けたときから駆動手段がルーフ装置を閉状態へ駆動している間、エンジンのアイドルストップを抑制するので、エンジンの運転中にドライバがルーフ装置を閉状態としてエアコン装置を作動させて快適なドライビングを楽しもうとルーフ装置の閉操作を行った場合、アイドルストップを抑制してエンジンの運転状態を維持することができ、これにより、ルーフ装置が閉状態となったときにドライバがエアコン装置をＯＮするためにエアコンスイッチを操作した場合、エアコン装置による駆動力増大要求に応じてエンジン回転数を迅速に増大させることができる。
【００１３】
また、本発明において好ましくは、駆動手段がルーフ装置を閉状態から開状態とするまでに要する駆動時間は、運転中のエンジンがアイドルストップ状態へ移行するまでに要する時間よりも長い。
このように構成された本発明においては、ルーフ装置の開状態から閉状態までの駆動中にエンジンのアイドルストップが行われ得るが、制御手段は開閉操作手段が閉操作を受け付けたときから駆動手段がルーフ装置を閉状態へ駆動している間、エンジンのアイドルストップを抑制するので、エンジンの運転中にドライバがルーフ装置を閉状態としてエアコン装置を作動させて快適なドライビングを楽しもうとルーフ装置の閉操作を行った場合、アイドルストップを抑制してエンジンの運転状態を維持することができ、これにより、ルーフ装置が閉状態となったときにドライバがエアコン装置をＯＮするためにエアコンスイッチを操作した場合、エアコン装置による駆動力増大要求に応じてエンジン回転数を迅速に増大させることができる。
【００１４】
また、本発明において好ましくは、制御手段は、外気温に関連する外気温関連値が第１閾値以上である場合において、ルーフ装置を開状態から閉状態にするための閉操作を開閉操作手段が受け付けたとき、駆動手段及びエンジンの制御を行う。
このように構成された本発明においては、特に外気温が高くエアコン装置を作動させる必要性が高い環境下であるときに、ドライバがエンジンのアイドルストップ中且つ車両の停車中にルーフ装置の閉操作を行った場合には、その閉操作に応じてエンジンの再始動を行い、ドライバがエンジンの運転中にルーフ装置の閉操作を行った場合には、アイドルストップを抑制してエンジンの運転状態を維持するので、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【００１５】
また、本発明において好ましくは、制御手段は、外気温に関連する外気温関連値が第２閾値以下である場合において、ルーフ装置を開状態から閉状態にするための閉操作を開閉操作手段が受け付けたとき、駆動手段及びエンジンの制御を行う。
このように構成された本発明においては、特に外気温が低くエアコン装置を作動させる必要性が高い環境下であるときに、ドライバがエンジンのアイドルストップ中且つ車両の停車中にルーフ装置の閉操作を行った場合には、その閉操作に応じてエンジンの再始動を行い、ドライバがエンジンの運転中にルーフ装置の閉操作を行った場合には、アイドルストップを抑制してエンジンの運転状態を維持するので、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【００１６】
また、本発明において好ましくは、制御手段は、エアコン装置の停止中にルーフ装置を開状態から閉状態にするための閉操作を開閉操作手段が受け付けたとき、駆動手段及びエンジンの制御を行う。
このように構成された本発明においては、エアコン装置が停止中でありエアコン装置を作動させる必要性が高い状況であるときに、ドライバがエンジンのアイドルストップ中且つ車両の停車中にルーフ装置の閉操作を行った場合には、その閉操作に応じてエンジンの再始動を行い、ドライバがエンジンの運転中にルーフ装置の閉操作を行った場合には、アイドルストップを抑制してエンジンの運転状態を維持するので、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【発明の効果】
【００１７】
本発明によれば、開閉可能なルーフ装置とアイドルストップが可能なエンジンとを備えた車両において、ドライバの意図を反映してルーフ装置やエンジンの制御を行うことが可能な車両の制御装置を提供することができる。
【図面の簡単な説明】
【００１８】
【図１】本発明の実施形態による車両の制御装置を搭載した車両の全体構成を示す概要図である。
【図２】本発明の実施形態による車両の制御装置の電気的構成を示すブロック図である。
【図３】本発明の実施形態による車両の制御装置がルーフアクチュエータ及びエンジンを制御する処理のフローチャートである。
【図４】本発明の実施形態による車両の制御装置がルーフアクチュエータ及びエンジンを制御する処理のフローチャートである。
【図５】本発明の実施形態による車両の制御装置がルーフアクチュエータ及びエンジンを制御したときのエンジン及びルーフ装置の動作を示したタイムチャートである。
【図６】本発明の実施形態による車両の制御装置がルーフアクチュエータ及びエンジンを制御したときのエンジン及びルーフ装置の動作を示したタイムチャートである。
【図７】本発明の実施形態の変形例による車両の制御装置がルーフアクチュエータ及びエンジンを制御する処理のフローチャートである。
【図８】本発明の実施形態の変形例による車両の制御装置がルーフアクチュエータ及びエンジンを制御する処理のフローチャートである。
【発明を実施するための形態】
【００１９】
以下、添付図面を参照して、本発明の実施形態による車両の制御装置について説明する。
【００２０】
まず、図１により、本発明の実施形態による車両の制御装置を搭載した車両について説明する。図１は、本発明の実施形態による車両の制御装置を搭載した車両の全体構成を示す概要図である。
【００２１】
図１において、符号１は、本実施形態による車両の制御装置を搭載した車両を示す。車両１の車体前部には、エンジン２が搭載されている。エンジン２は、ガソリンエンジンやディーゼルエンジンなどの内燃エンジンである。
エンジン２のクランクシャフトには、プーリーやベルト等を介してエアコンのコンプレッサ（図示せず）が連結されており、エアコンの冷房運転が行われる際には、コンプレッサがエンジン２によって駆動される。
また、エンジン２の冷却系統にはエアコンのヒーターコアが接続されており、エアコンの暖房運転が行われる際には、運転中のエンジン２により熱せられた冷却水がヒーターコアに流入して車室内の空気と熱交換を行う。
すなわち、エアコンを作動させるためには、冷房及び暖房の何れについてもエンジン２が運転状態にあることが必要となる。
【００２２】
車両１の車体後部には、車室上部を覆い且つ開閉可能なルーフ装置４と、閉状態のルーフ装置４を格納するためのルーフ格納室６とが設けられている。図１においては、閉状態のルーフ装置４を破線により示し、開状態のルーフ装置４を一点鎖線により示している。
【００２３】
ルーフ装置４は、折り畳み式のルーフ８と、車体後部に連結されてルーフ８を開閉可能に支持する図外のリンク機構とを備えている。ルーフ８は、開状態ではリンク機構により伸展されて車室の後方から上方を覆い、閉状態ではリンク機構により折り畳まれてルーフ格納室６に格納される。リンク機構は、車体後部に設けられたルーフアクチュエータ１０（駆動手段）により駆動される。ルーフアクチュエータ１０の駆動源としては、例えばモータや油圧ピストンを用いることができる。
【００２４】
さらに、車室内には、ドライバが操作可能な位置に、ルーフ装置４の開閉操作を受け付けるルーフ開閉ボタン１２（開閉操作手段）が設けられている。ルーフ開閉ボタン１２は、操作入力を受け付けると、その操作入力に対応する検出値を後述するコントロールユニット２５に出力する。
【００２５】
次に、図２により、本発明の実施形態による車両の制御装置の電気的構成を説明する。図２は、本発明の実施形態による車両の制御装置の電気的構成を示すブロック図である。
車両１は、更に、アクセルペダルの開度（アクセル開度）を検出するアクセル開度センサ１４、ブレーキペダルの踏込量を検出するブレーキ踏込量センサ１６、車速を検出する車速センサ１８、クラッチペダルの操作を検出するクラッチペダルセンサ２０、ギヤ段の位置を検出するギヤセンサ２２、及び、エアコン３４に対する操作入力を受け付けるエアコンスイッチ２４を有する。これらの各センサ及びスイッチは、それぞれの検出値をコントロールユニット２５に出力する。
【００２６】
コントロールユニット２５は、ＣＰＵ、各種プログラムを記憶するメモリ、入出力装置等を備えたコンピュータにより構成される。コントロールユニット２５は、上記の各センサから入力された信号に基づき、ルーフアクチュエータ１０やエンジン２の構成部品（スターターモータ２６、燃料噴射弁２８、点火プラグ３０等）、車室内に設けられた表示装置３２、エアコン３４を制御する。
コントロールユニット２５は本発明における車両の制御装置の一部に相当し、制御手段として機能する。
【００２７】
次に、図３及び図４により、本発明の実施形態による車両の制御装置が実行するエンジン制御処理について説明する。
図３は、エンジン２のアイドルストップ中且つ車両１の停車中において車両の制御装置がルーフアクチュエータ１０及びエンジン２を制御する処理のフローチャートであり、図４は、エンジン２の運転中において車両の制御装置がルーフアクチュエータ１０及びエンジン２を制御する処理のフローチャートである。すなわち、車両１のイグニッションがオンにされ、車両の制御装置に電源が投入された後、エンジン２のアイドルストップ中は図３の処理が繰り返し実行され、エンジン２の運転中は図４の処理が繰り返し実行される。
【００２８】
まず、図３に示すように、車両１の停車中且つエンジン２のアイドルストップ中においてルーフアクチュエータ１０及びエンジン２の制御処理が開始されると、ステップＳ１において、コントロールユニット２５は、ルーフ開閉ボタン１２がルーフ装置４の開閉操作を受け付けたか否かを判定する。
【００２９】
その結果、ルーフ開閉ボタン１２がルーフ装置４の開閉操作を受け付けた場合、ステップＳ２に進み、コントロールユニット２５はアイドルストップ中のエンジン２を再始動するようにエンジン２を制御する。例えば、コントロールユニット２５は、スターターモータ２６を作動させてエンジン２のクランキングを行い、所定のタイミングで燃料噴射弁２８を作動させてエンジン２のシリンダ内に所定量の燃料噴射を行い、さらに所定のタイミングで点火プラグ３０をスパークさせることでシリンダ内の混合気の点火を行うことにより、エンジン２を再始動させる。
【００３０】
次に、ステップＳ３に進み、コントロールユニット２５は、ステップＳ１においてルーフ開閉ボタン１２が受け付けた開閉操作に応じて、ルーフ装置４を閉状態から開状態へ、又は、開状態から閉状態へ駆動するように、ルーフアクチュエータ１０を作動させる。ルーフアクチュエータ１０の作動が完了した後、コントロールユニット２５は処理を終了する。
【００３１】
また、ステップＳ１において、ルーフ開閉ボタン１２がルーフ装置４の開閉操作を受け付けていない場合、ステップＳ４に進み、コントロールユニット２５は、アイドルストップ中のエンジン２を再始動するための再始動条件が成立したか否かを判定する。
例えば、コントロールユニット２５は、クラッチペダルセンサ２０から入力された信号に基づきクラッチペダルの踏み込み状態を取得し、クラッチペダルが踏み込まれた場合に再始動条件が成立したと判定する。
【００３２】
その結果、再始動条件が成立した場合、ステップＳ５に進み、コントロールユニット２５はアイドルストップ中のエンジン２を再始動するようにエンジン２を制御する。エンジン２が再始動した後、又は、ステップＳ４において再始動条件が成立していない場合、コントロールユニット２５は処理を終了する。
【００３３】
また、図４に示すように、エンジン２の運転中においてルーフアクチュエータ１０及びエンジン２の制御処理が開始されると、ステップＳ１１において、コントロールユニット２５は、車速がルーフ装置４の開閉が許可される第１速度（例えば５〜２０ｋｍ／ｈ）以下であり且つルーフ開閉ボタン１２がルーフ装置４の開閉操作を受け付けたか否かを判定する。
【００３４】
その結果、車速が第１速度以下且つルーフ開閉ボタン１２がルーフ装置４の開閉操作を受け付けた場合、ステップＳ１２に進み、コントロールユニット２５は、ステップＳ１１においてルーフ開閉ボタン１２が受け付けた開閉操作に応じて、ルーフ装置４を閉状態から開状態へ、又は、開状態から閉状態へ駆動するように、ルーフアクチュエータ１０を作動させる。
【００３５】
次に、ステップＳ１３において、コントロールユニット２５はルーフアクチュエータ１０の作動が完了したか否かを判定する。その結果、ルーフアクチュエータ１０の作動が完了していない場合は作動が完了するまで待機し、ルーフアクチュエータ１０の作動が完了した後、コントロールユニット２５は処理を終了する。
【００３６】
また、ステップＳ１１において、車速が第１速度以下ではない（第１速度より大きい）場合又はルーフ開閉ボタン１２がルーフ装置４の開閉操作を受け付けていない場合、ステップＳ１４に進み、コントロールユニット２５は、運転中のエンジン２をアイドルストップさせるための自動停止条件が成立したか否かを判定する。
例えば、コントロールユニット２５は、車速センサ１８により検出された車速が第１速度よりも低い第２速度（例えば３〜５ｋｍ／ｈ）以下、アクセル開度センサ１４により検出されたアクセル開度が３％以下、ギヤセンサ２２により検出されたギヤの状態がニュートラル状態、且つ、クラッチペダルセンサ２０により検出されたクラッチストロークが２０％未満である場合に、自動停止条件が成立したと判定する。
【００３７】
その結果、自動停止条件が成立した場合、ステップＳ１５に進み、コントロールユニット２５は運転中のエンジン２をアイドルストップさせるようにエンジン２を制御する。エンジン２が停止した後、又は、ステップＳ１４において自動停止条件が成立していない場合、コントロールユニット２５は処理を終了する。
【００３８】
次に、図５及び図６により、本発明の実施形態による車両の制御装置がルーフアクチュエータ１０及びエンジン２の制御を行った際の動作を説明する。
図５は、車両１の停車中且つエンジン２のアイドルストップ中において車両の制御装置がルーフアクチュエータ１０及びエンジン２を制御したときのエンジン２及びルーフ装置４の動作を示したタイムチャートであり、図６は、エンジン２の運転中において車両の制御装置がルーフアクチュエータ１０及びエンジン２を制御したときのエンジン２及びルーフ装置４の動作を示したタイムチャートである。
【００３９】
図５に示すように、車両１の停車中且つエンジン２のアイドルストップ中において、ルーフ開閉ボタン１２がルーフ装置４を開状態から閉状態にするための閉操作を時刻Ｔ１に受け付けた場合、コントロールユニット２５はアイドルストップ中のエンジン２を再始動するようにエンジン２を制御する。
再始動したエンジン２の回転数が時刻Ｔ２においてアイドル回転数に到達すると、コントロールユニット２５は、ルーフ開閉ボタン１２が受け付けた閉操作に応じて、ルーフ装置４を開状態から閉状態へ駆動するように、ルーフアクチュエータ１０を作動させる。
その後、時刻Ｔ３において、ドライバがエアコン３４をＯＮするためにエアコンスイッチ２４を操作した場合、エンジン２は既に再始動を完了しアイドル回転数に到達しているので、エアコン３４による駆動力増大要求に応じてエンジン回転数が迅速に増大する。すなわち、エアコン３４による車室内温度の調整を意図しているドライバの期待に応えることができる。
【００４０】
一方、本発明の実施形態による車両の制御装置のように、ルーフ開閉ボタン１２が閉操作を受け付けたときにコントロールユニット２５がアイドルストップ中のエンジン２の再始動を行わない場合、図５において一点鎖線により示すように、時刻Ｔ３において再始動条件が成立するまでエンジン２はアイドルストップを維持する。したがって、時刻Ｔ３においてドライバがエアコン３４をＯＮするためにエアコンスイッチ２４を操作した場合、まずアイドルストップ中のエンジン２を再始動しなければならず、エアコン３４による車室内温度の調整を意図しているドライバの期待に十分応えることができない。
【００４１】
また、図６に示すように、エンジン２の運転中において、ルーフ開閉ボタン１２がルーフ装置４を開状態から閉状態にするための閉操作を時刻Ｔ４に受け付けた場合、コントロールユニット２５は、ルーフ開閉ボタン１２が受け付けた閉操作に応じて、ルーフ装置４を開状態から閉状態へ駆動するように、ルーフアクチュエータ１０を作動させる。
ルーフアクチュエータ１０がルーフ装置４を開状態から閉状態とするまでに要する駆動時間は１０〜２０秒程度であり、運転中のエンジン２がアイドルストップ状態へ移行するまでに要する時間（１秒未満）よりも長いので、ルーフ装置４の動作中にエンジン２をアイドルストップさせるための自動停止条件が成立した場合、従来の車両の制御装置ではルーフ装置４が動作している間にエンジン２をアイドルストップさせることが起こり得る。
しかしながら、本発明の実施形態による車両の制御装置では、ルーフ開閉ボタン１２が閉操作を受け付けたときからルーフアクチュエータ１０がルーフ装置４を閉状態へ駆動している間、エンジン２をアイドルストップさせるための自動停止条件が成立したか否かの判定は行われないので（図４参照）、例えば時刻Ｔ５において自動停止条件が成立した場合においてもエンジン２のアイドルストップは抑制される。
その後、時刻Ｔ６において、ドライバがエアコン３４をＯＮするためにエアコンスイッチ２４を操作した場合、エンジン２のアイドルストップは抑制されておりアイドル回転数が維持されているので、エアコン３４による駆動力増大要求に応じてエンジン回転数が迅速に増大する。すなわち、エアコン３４による車室内温度の調整を意図しているドライバの期待に応えることができる。
【００４２】
一方、本発明の実施形態による車両の制御装置のように、ルーフ開閉ボタン１２が閉操作を受け付けたときにコントロールユニット２５が運転中のエンジン２のアイドルストップを抑制しない場合、図６において一点鎖線により示すように、例えば時刻Ｔ５において自動停止条件が成立したときにコントロールユニット２５はエンジン２をアイドルストップさせる。したがって、時刻Ｔ６においてドライバがエアコン３４をＯＮするためにエアコンスイッチ２４を操作した場合、まずアイドルストップ中のエンジン２を再始動しなければならず、エアコン３４による車室内温度の調整を意図しているドライバの期待に十分応えることができない。
【００４３】
次に、本発明の実施形態の変形例による車両の制御装置について説明する。
【００４４】
上述した実施形態では、図３及び図４に示したように、ルーフ開閉ボタン１２がルーフ装置４の開閉操作を受け付けた場合に、エンジン２の再始動やアイドルストップの抑制を行うと共にルーフアクチュエータ１０によりルーフ装置４を駆動すると説明したが、図７及び図８に示すように、特に、ルーフ開閉ボタン１２がルーフ装置４を開状態から閉状態にするための閉操作を受け付けた場合に、エンジン２の再始動やアイドルストップの抑制を行うと共にルーフアクチュエータ１０によりルーフ装置４を駆動するようにしてもよい。
図７は、エンジン２のアイドルストップ中且つ車両１の停車中において車両の制御装置がルーフアクチュエータ１０及びエンジン２を制御する処理のフローチャートであり、図８は、エンジン２の運転中において車両の制御装置がルーフアクチュエータ１０及びエンジン２を制御する処理のフローチャートである。すなわち、車両１のイグニッションがオンにされ、車両の制御装置に電源が投入された後、エンジン２のアイドルストップ中は図７の処理が繰り返し実行され、エンジン２の運転中は図８の処理が繰り返し実行される。
なお、図７におけるステップＳ２３〜Ｓ２６は図３におけるステップＳ２〜Ｓ５と同様であり、図８におけるステップＳ３３〜Ｓ３６は図４におけるステップＳ１２〜Ｓ１５と同様であるので、詳細な説明は省略する。
【００４５】
まず、図７に示すように、車両１の停車中且つエンジン２のアイドルストップ中においてルーフアクチュエータ１０及びエンジン２の制御処理が開始されると、ステップＳ２１において、コントロールユニット２５は、ルーフ装置４が開状態であるか否かを判定する。
その結果、ルーフ装置４が開状態である場合、ステップＳ２２に進み、コントロールユニット２５は、ルーフ開閉ボタン１２がルーフ装置４を開状態から閉状態にするための開操作を受け付けたか否かを判定する。
【００４６】
その結果、ルーフ開閉ボタン１２がルーフ装置４の閉操作を受け付けた場合、ステップＳ２３に進み、コントロールユニット２５はアイドルストップ中のエンジン２を再始動するようにエンジン２を制御する。
【００４７】
一方、ステップＳ２１においてルーフ装置４が開状態ではない（閉状態である）場合、又は、ステップＳ２２においてルーフ開閉ボタン１２がルーフ装置４の閉操作を受け付けていない場合、ステップＳ２５に進み、アイドルストップ中のエンジン２を再始動するための再始動条件が成立したか否かを判定する。
【００４８】
また、図８に示すように、エンジン２の運転中においてルーフアクチュエータ１０及びエンジン２の制御処理が開始されると、ステップＳ３１において、コントロールユニット２５は、ルーフ装置４が開状態であるか否かを判定する。
その結果、ルーフ装置４が開状態である場合、ステップＳ３２に進み、コントロールユニット２５は、車速がルーフ装置４の開閉が許可される第１速度（例えば５〜２０ｋｍ／ｈ）以下であり且つルーフ開閉ボタン１２がルーフ装置４を開状態から閉状態にするための開操作を受け付けたか否かを判定する。
【００４９】
その結果、車速が第１速度以下且つルーフ開閉ボタン１２がルーフ装置４の閉操作を受け付けた場合、ステップＳ３３に進み、コントロールユニット２５は、ステップＳ３２おいてルーフ開閉ボタン１２が受け付けた閉操作に応じて、ルーフ装置４を開状態から閉状態へ駆動するように、ルーフアクチュエータ１０を作動させる。
【００５０】
一方、ステップＳ３１においてルーフ装置４が開状態ではない（閉状態である）場合、又は、ステップＳ３２において車速が第１速度以下ではない（第１速度より大きい）場合若しくはルーフ開閉ボタン１２がルーフ装置４の閉操作を受け付けていない場合、ステップＳ３５に進み、コントロールユニット２５は、運転中のエンジン２をアイドルストップさせるための自動停止条件が成立したか否かを判定する。
【００５１】
また、上述した実施形態では、ルーフ装置４は、折り畳み式のルーフ８と、車体後部に連結されてルーフ８を開閉可能に支持する図外のリンク機構とを備えていると説明したが、ルーフ装置は開閉可能であればよく、例えばスライド式のサンルーフやソフトトップ等にも本発明を適用することができる。
【００５２】
また、上述した実施形態では、図３のステップＳ２においてエンジン２を再始動させた後、ステップＳ３においてルーフアクチュエータ１０を作動させると説明したが、ルーフアクチュエータ１０の作動を開始した後にエンジン２を再始動させてもよい。
【００５３】
また、上述した実施形態では、エンジン２のアイドルストップ中且つ車両１の停車中においてルーフ開閉ボタン１２がルーフ装置４の開閉操作を受け付けた場合に、コントロールユニット２５はアイドルストップ中のエンジン２を再始動しルーフアクチュエータ１０を作動させると説明したが、エンジン２のアイドルストップ中且つ車両１の非停車中（すなわち車速＞０）においてルーフ開閉ボタン１２がルーフ装置４の開閉操作を受け付けた場合に、コントロールユニット２５がエンジン２を再始動するようにエンジン２を制御し、ルーフアクチュエータ１０を作動させるようにしてもよい。
【００５４】
また、上述した実施形態では、エンジン２の運転中においてルーフ開閉ボタン１２が開閉操作を受け付けたときからルーフアクチュエータ１０がルーフ装置４を駆動している間、エンジン２をアイドルストップさせるための自動停止条件が成立したか否かの判定は行われず、エンジン２のアイドルストップは抑制されると説明したが、ルーフアクチュエータ１０がルーフ装置４を駆動している期間内の少なくとも一部においてエンジン２のアイドルストップが抑制されるようにしてもよい。
【００５５】
また、上述した実施形態では、エンジン２の運転中においてルーフ開閉ボタン１２が開閉操作を受け付けたときからルーフアクチュエータ１０がルーフ装置４を駆動している間、コントロールユニット２５は、エンジン２をアイドルストップさせるための自動停止条件が成立したか否かの判定を行わないことにより、エンジン２のアイドルストップを抑制すると説明したが、エンジン２の運転中においてルーフ開閉ボタン１２が開閉操作を受け付けたときからルーフアクチュエータ１０がルーフ装置４を駆動している間は自動停止条件を厳しくすることにより、エンジン２のアイドルストップを抑制するようにしてもよい。例えば、通常の自動停止条件における車速の上限値が５ｋｍ／ｈ、アクセル開度の上限値が３％、クラッチストロークの上限値が２０％である場合において、ルーフ開閉ボタン１２が開閉操作を受け付けたときからルーフアクチュエータ１０がルーフ装置４を駆動している間は、自動停止条件における車速の上限値を３ｋｍ／ｈ、アクセル開度の上限値を２％、クラッチストロークの上限値を１０％というように条件値を厳しくしてもよい。
【００５６】
また、外気温に関連する外気温関連値（外気温、冷却水温等）が第１閾値以上である場合（例えば外気温が２５〜３０℃以上である場合）や、外気温関連値が第２閾値以下である場合（例えば外気温が５〜１０℃以下である場合）、すなわちエアコン３４を作動させる必要性が高いと考えられる環境下であるときに、上述の実施形態において説明したエンジン２及びルーフアクチュエータ１０の制御（すなわち、エンジン２のアイドルストップ中且つ車両１の停車中においてルーフ開閉ボタン１２がルーフ装置４の開閉操作を受け付けた場合、コントロールユニット２５はアイドルストップ中のエンジン２を再始動しルーフアクチュエータ１０を作動させ、エンジン２の運転中においてルーフ開閉ボタン１２が開閉操作を受け付けたとき、ルーフアクチュエータ１０を作動させ且つルーフ開閉ボタン１２が開操作を受け付けたときからルーフアクチュエータ１０がルーフ装置４を駆動している間、コントロールユニット２５はエンジン２のアイドルストップを抑制する制御）を行うようにしてもよい。
【００５７】
また、エアコン３４が停止中であるとき、すなわちエアコン３４を作動させる必要性が高いと考えられる状況であるときに、上述の実施形態において説明したエンジン２及びルーフアクチュエータ１０の制御（すなわち、エンジン２のアイドルストップ中且つ車両１の停車中においてルーフ開閉ボタン１２がルーフ装置４の開閉操作を受け付けた場合、コントロールユニット２５はアイドルストップ中のエンジン２を再始動しルーフアクチュエータ１０を作動させ、エンジン２の運転中においてルーフ開閉ボタン１２が開閉操作を受け付けたとき、ルーフアクチュエータ１０を作動させ且つルーフ開閉ボタン１２が開操作を受け付けたときからルーフアクチュエータ１０がルーフ装置４を駆動している間、コントロールユニット２５はエンジン２のアイドルストップを抑制する制御）を行うようにしてもよい。
【００５８】
最後に、本発明の実施形態及び本発明の実施形態の変形例による車両の制御装置の効果を説明する。
【００５９】
まず、コントロールユニット２５は、ルーフ装置４が開状態且つエンジン２のアイドルストップ中において、ルーフ装置４を開状態から閉状態にするための閉操作をルーフ開閉ボタン１２が受け付けたとき、アイドルストップ中のエンジン２を再始動するようにエンジン２を制御し、且つ、開状態であるルーフ装置４を閉状態とするようにルーフアクチュエータ１０を制御するので、エンジン２がアイドルストップ状態となっているときに、ドライバがルーフ装置４を閉状態としてエアコン３４を作動させて快適なドライビングを楽しもうとルーフ装置４の閉操作を行った場合、その閉操作に応じてエンジン２の再始動を行うことができ、これにより、ルーフ装置４が閉状態となったときにドライバがエアコン３４をＯＮするためにエアコンスイッチ２４を操作した場合、エアコン３４による駆動力増大要求に応じてエンジン回転数を迅速に増大させることができる。すなわち、エアコン３４による車室内温度の調整を意図しているドライバの期待に応えることができる。
【００６０】
また、コントロールユニット２５は、ルーフ装置４が開状態且つエンジン２の運転中において、ルーフ装置４を開状態から閉状態にするための閉操作をルーフ開閉ボタン１２が受け付けたとき、開状態であるルーフ装置４を閉状態とするようにルーフアクチュエータ１０を制御し、且つ、ルーフ開閉ボタン１２が閉操作を受け付けたときからルーフアクチュエータ１０がルーフ装置４を閉状態へ駆動している間、エンジン２のアイドルストップを抑制するので、エンジン２の運転中にドライバがルーフ装置４を閉状態としてエアコン３４を作動させて快適なドライビングを楽しもうとルーフ装置４の閉操作を行った場合、アイドルストップを抑制してエンジン２の運転状態を維持することができ、これにより、ルーフ装置４が閉状態となったときにドライバがエアコン３４をＯＮするためにエアコンスイッチ２４を操作した場合、エアコン３４による駆動力増大要求に応じてエンジン回転数を迅速に増大させることができる。すなわち、エアコン３４による車室内温度の調整を意図しているドライバの期待に応えることができる。
【符号の説明】
【００６１】
１  車両
２  エンジン
４  ルーフ装置
６  ルーフ格納室
８  ルーフ
１０  ルーフアクチュエータ
１２  ルーフ開閉ボタン
１４  アクセル開度センサ
１６  ブレーキ踏込量センサ
１８  車速センサ
２０  クラッチペダルセンサ
２２  ギヤセンサ
２４  エアコンスイッチ
２５  コントロールユニット
２６  スターターモータ
２８  燃料噴射弁
３０  点火プラグ
３２  表示装置
３４  エアコン
【図１】
2018062927.tif 000003
【図２】
2018062927.tif 000004
【図３】
2018062927.tif 000005
【図４】
2018062927.tif 000006
【図５】
2018062927.tif 000007
【図６】
2018062927.tif 000008
【図７】
2018062927.tif 000009
【図８】
2018062927.tif 000010
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
車室上部を覆い且つ開閉可能なルーフ装置と、前記ルーフ装置の開閉駆動を行う駆動手段と、アイドルストップが可能なエンジンと、エアコン装置と、を備えた車両の制御装置であって、
前記車室内に設けられ前記ルーフ装置の開閉操作を受け付ける開閉操作手段と、
前記エンジン、前記駆動手段及び前記エアコン装置を制御する制御手段と、を備え、
前記制御手段は、
前記ルーフ装置が開状態且つ前記エンジンのアイドルストップ中において、前記ルーフ装置を開状態から閉状態にするための閉操作を前記開閉操作手段が受け付けたとき、前記アイドルストップ中のエンジンを再始動するように前記エンジンを制御し、且つ、前記開状態であるルーフ装置を閉状態とするように前記駆動手段を制御する、
ことを特徴とする車両の制御装置。
【請求項２】
前記制御手段は、前記ルーフ装置が開状態且つ前記エンジンのアイドルストップ中且つ前記車両の停車中において、前記閉操作を前記開閉操作手段が受け付けたとき、前記アイドルストップ中のエンジンを再始動するように前記エンジンを制御し、且つ、前記開状態であるルーフ装置を閉状態とするように前記駆動手段を制御する、請求項１に記載の車両の制御装置。
【請求項３】
前記制御手段は、前記エンジンの再始動後、前記ルーフ装置の駆動を開始するように前記駆動手段を制御する、請求項１又は２に記載の車両の制御装置。
【請求項４】
車室上部を覆い且つ、開閉可能なルーフ装置と、前記ルーフ装置の開閉駆動を行う駆動手段と、アイドルストップが可能なエンジンと、エアコン装置と、を備えた車両の制御装置であって、
前記車室内に設けられ前記ルーフ装置の開閉操作を受け付ける開閉操作手段と、
前記エンジン、前記駆動手段及び前記エアコン装置を制御する制御手段と、を備え、
前記制御手段は、
前記ルーフ装置が開状態且つ前記エンジンの運転中において、前記ルーフ装置を開状態から閉状態にするための閉操作を前記開閉操作手段が受け付けたとき、前記開状態であるルーフ装置を閉状態とするように前記駆動手段を制御し、且つ、前記開閉操作手段が前記閉操作を受け付けたときから前記駆動手段が前記ルーフ装置を閉状態へ駆動している間、前記エンジンのアイドルストップを許可しないか、又は、前記エンジンをアイドルストップさせるための自動停止条件を厳しくする、
ことを特徴とする車両の制御装置。
【請求項５】
前記制御手段は、
前記車両の速度が第１速度以下であるとき、前記駆動手段による前記ルーフ装置の開閉駆動を許可し、前記第１速度よりも低い第２速度以下であるとき、前記エンジンのアイドルストップを許可する、請求項４に記載の車両の制御装置。
【請求項６】
前記駆動手段が前記ルーフ装置を開状態から閉状態とするまでに要する駆動時間は、運転中の前記エンジンが運転状態からアイドルストップ状態へ移行するまでに要する時間よりも長い、請求項４又は５に記載の車両の制御装置。
【請求項７】
前記制御手段は、前記ルーフ装置が開状態且つ前記エンジンのアイドルストップ中において、外気温に関連する外気温関連値が第１閾値以上である場合に、前記ルーフ装置を開状態から閉状態にするための閉操作を前記開閉操作手段が受け付けたとき、前記開状態であるルーフ装置を閉状態とするように前記駆動手段を制御し、且つ、前記アイドルストップ中のエンジンを再始動するように前記エンジンを制御する、請求項１乃至６の何れか１項に記載の車両の制御装置。
【請求項８】
前記制御手段は、前記ルーフ装置が開状態且つ前記エンジンのアイドルストップ中において、外気温に関連する外気温関連値が第２閾値以下である場合に、前記ルーフ装置を開状態から閉状態にするための閉操作を前記開閉操作手段が受け付けたとき、前記開状態であるルーフ装置を閉状態とするように前記駆動手段を制御し、且つ、前記アイドルストップ中のエンジンを再始動するように前記エンジンを制御する、請求項１乃至７の何れか１項に記載の車両の制御装置。
【請求項９】
前記制御手段は、前記ルーフ装置が開状態且つ前記エンジンのアイドルストップ中において、前記エアコン装置の停止中に前記ルーフ装置を開状態から閉状態にするための閉操作を前記開閉操作手段が受け付けたとき、前記開状態であるルーフ装置を閉状態とするように前記駆動手段を制御し、且つ、前記アイドルストップ中のエンジンを再始動するように前記エンジンを制御する、請求項１乃至８の何れか１項に記載の車両の制御装置。
【手続補正２】
【補正対象書類名】明細書
【補正対象項目名】００１１
【補正方法】変更
【補正の内容】
【００１１】
また、本発明の第２発明による車両の制御装置は、車室上部を覆い且つ、開閉可能なルーフ装置と、ルーフ装置の開閉駆動を行う駆動手段と、アイドルストップが可能なエンジンと、エアコン装置とを備えた車両の制御装置であって、車室内に設けられルーフ装置の開閉操作を受け付ける開閉操作手段と、エンジン、駆動手段及びエアコン装置を制御する制御手段とを備え、制御手段は、ルーフ装置が開状態且つエンジンの運転中において、ルーフ装置を開状態から閉状態にするための閉操作を開閉操作手段が受け付けたとき、開状態であるルーフ装置を閉状態とするように駆動手段を制御し、且つ、開閉操作手段が閉操作を受け付けたときから駆動手段がルーフ装置を閉状態へ駆動している間、エンジンのアイドルストップを許可しないか、又は、エンジンをアイドルストップさせるための自動停止条件を厳しくすることを特徴とする。
このように構成された本発明においては、制御手段は、ルーフ装置が開状態且つエンジンの運転中において、ルーフ装置を開状態から閉状態にするための閉操作を開閉操作手段が受け付けたとき、開状態であるルーフ装置を閉状態とするように駆動手段を制御し、且つ、開閉操作手段が閉操作を受け付けたときから駆動手段がルーフ装置を閉状態へ駆動している間、エンジンのアイドルストップを抑制するので、エンジンの運転中にドライバがルーフ装置を閉状態としてエアコン装置を作動させて快適なドライビングを楽しもうとルーフ装置の閉操作を行った場合、アイドルストップを抑制してエンジンの運転状態を維持することができ、これにより、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【手続補正３】
【補正対象書類名】明細書
【補正対象項目名】００１３
【補正方法】変更
【補正の内容】
【００１３】
また、本発明において好ましくは、駆動手段がルーフ装置を開状態から閉状態とするまでに要する駆動時間は、運転中のエンジンが運転状態からアイドルストップ状態へ移行するまでに要する時間よりも長い。
このように構成された本発明においては、ルーフ装置の開状態から閉状態までの駆動中にエンジンのアイドルストップが行われ得るが、制御手段は開閉操作手段が閉操作を受け付けたときから駆動手段がルーフ装置を閉状態へ駆動している間、エンジンのアイドルストップを抑制するので、エンジンの運転中にドライバがルーフ装置を閉状態としてエアコン装置を作動させて快適なドライビングを楽しもうとルーフ装置の閉操作を行った場合、アイドルストップを抑制してエンジンの運転状態を維持することができ、これにより、ルーフ装置が閉状態となったときにドライバがエアコン装置をＯＮするためにエアコンスイッチを操作した場合、エアコン装置による駆動力増大要求に応じてエンジン回転数を迅速に増大させることができる。
【手続補正４】
【補正対象書類名】明細書
【補正対象項目名】００１４
【補正方法】変更
【補正の内容】
【００１４】
また、本発明において好ましくは、制御手段は、ルーフ装置が開状態且つエンジンのアイドルストップ中において、外気温に関連する外気温関連値が第１閾値以上である場合に、ルーフ装置を開状態から閉状態にするための閉操作を開閉操作手段が受け付けたとき、開状態であるルーフ装置を閉状態とするように駆動手段を制御し、且つ、アイドルストップ中のエンジンを再始動するようにエンジンを制御する。
このように構成された本発明においては、特に外気温が高くエアコン装置を作動させる必要性が高い環境下であるときに、ドライバがエンジンのアイドルストップ中且つ車両の停車中にルーフ装置の閉操作を行った場合には、その閉操作に応じてエンジンの再始動を行い、ドライバがエンジンの運転中にルーフ装置の閉操作を行った場合には、アイドルストップを抑制してエンジンの運転状態を維持するので、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【手続補正５】
【補正対象書類名】明細書
【補正対象項目名】００１５
【補正方法】変更
【補正の内容】
【００１５】
また、本発明において好ましくは、制御手段は、ルーフ装置が開状態且つエンジンのアイドルストップ中において、外気温に関連する外気温関連値が第２閾値以下である場合に、ルーフ装置を開状態から閉状態にするための閉操作を開閉操作手段が受け付けたとき、開状態であるルーフ装置を閉状態とするように駆動手段を制御し、且つ、アイドルストップ中のエンジンを再始動するようにエンジンを制御する。
このように構成された本発明においては、特に外気温が低くエアコン装置を作動させる必要性が高い環境下であるときに、ドライバがエンジンのアイドルストップ中且つ車両の停車中にルーフ装置の閉操作を行った場合には、その閉操作に応じてエンジンの再始動を行い、ドライバがエンジンの運転中にルーフ装置の閉操作を行った場合には、アイドルストップを抑制してエンジンの運転状態を維持するので、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。
【手続補正６】
【補正対象書類名】明細書
【補正対象項目名】００１６
【補正方法】変更
【補正の内容】
【００１６】
また、本発明において好ましくは、制御手段は、ルーフ装置が開状態且つエンジンのアイドルストップ中において、エアコン装置の停止中にルーフ装置を開状態から閉状態にするための閉操作を開閉操作手段が受け付けたとき、開状態であるルーフ装置を閉状態とするように駆動手段を制御し、且つ、アイドルストップ中のエンジンを再始動するようにエンジンを制御する。
このように構成された本発明においては、エアコン装置が停止中でありエアコン装置を作動させる必要性が高い状況であるときに、ドライバがエンジンのアイドルストップ中且つ車両の停車中にルーフ装置の閉操作を行った場合には、その閉操作に応じてエンジンの再始動を行い、ドライバがエンジンの運転中にルーフ装置の閉操作を行った場合には、アイドルストップを抑制してエンジンの運転状態を維持するので、ルーフ装置が閉状態となったときにドライバがエアコン装置をＯＮするためにエアコンスイッチを操作した場合、エアコン装置による駆動力増大要求に応じてエンジン回転数を迅速に増大させることができる。すなわち、エアコン装置による車室内温度の調整を意図しているドライバの期待に応えることができる。